(57)【要約】【課題】本発明の目的は、負荷を各エレベーターに分散することで、エレベーター管理センターの負荷を低減でき、保守アプリケーションダウンロード時の通信コストを抑えることができるエレベーター保守ツール安全システムを提供することにある。【解決手段】上記目的を達成するため、エレベーター保守ツール安全システムは、エレベーターと、前記エレベーターの保守点検を実施し、保守点検結果をエレベーター管理センターに通知する保守ツールと、を有し、前記エレベーターは、保守点検作業時に前記保守ツールにて実行される保守アプリケーションを記憶する保守アプリケーション記憶手段を有し、前記保守ツールは、前記保守アプリケーション記憶手段に記憶されている保守アプリケーションを前記エレベーターから取得する保守アプリケーション取得手段を有する。【選択図】  図１
2005015176.tif 000002
【特許請求の範囲】
【請求項１】
エレベーターと、前記エレベーターの保守点検を実施し、保守点検結果をエレベーター管理センターに通知する保守ツールと、を有するエレベーター保守ツール安全システムであって、
前記エレベーターは、保守点検作業時に前記保守ツールにて実行される保守アプリケーションを記憶する保守アプリケーション記憶手段を有し、
前記保守ツールは、前記保守アプリケーション記憶手段に記憶されている保守アプリケーションを前記エレベーターから取得する保守アプリケーション取得手段を有する
ことを特徴とするエレベーター保守ツール安全システム。
【請求項２】
エレベーター保守点検を実施し、保守点検結果をエレベーター管理センターに通知する保守ツールであって、
前記エレベーターに対して通信接続する際にパスワードを入力することで認証を行うパスワード認証手段と、
前記パスワード認証手段で認証された後、前記エレベーターから保守アプリケーションを取得する保守アプリケーション取得手段と、
前記保守アプリケーション手段で取得された保守アプリケーションを実行する保守アプリケーション実行手段と、
を有することを特徴とする保守ツール。
【請求項３】
保守点検作業時に保守ツールにて実行される保守アプリケーションを記憶する保守アプリケーション記憶手段と、
前記保守アプリケーション記憶手段で記憶された保守アプリケーションを前記保守ツールに送信する保守アプリケーション送信手段と、
を有することを特徴とするエレベーター。
【請求項４】
請求項３に記載のエレベーターであって、
前記保守ツールと通信接続する際の認証に必要なパスワードを記憶するパスワード記憶手段と、
前記認証時に前記保守ツールにパスワードを要求するパスワード要求手段と、
前記パスワード要求手段により要求し取得したパスワードと、前記パスワード記憶手段により記憶しているパスワードとが一致しているかで認証するパスワード認証手段と、を有し、
前記保守アプリケーション送信手段は、前記認証後に、前記保守アプリケーション手段に記憶されている保守アプリケーションを前記保守ツールに送信することを特徴とするエレベーター。
【請求項５】
請求項３に記載のエレベーターであって、
エレベーター管理センターと通信するネットワーク通信手段と、
前記ネットワーク通信手段を用いて前記エレベーター管理センターから前記保守アプリケーションの取得を要求する保守アプリケーション取得要求手段と、
前記ネットワーク通信手段を用いて前記エレベーター管理センターから前記保守ツールと通信接続する際の認証に必要なパスワードを取得し記憶するパスワード取得記憶手段と、
を有することを特徴とするエレベーター。
【請求項６】
保守点検に必要な事項及び保守点検日程を格納する保守点検管理テーブルと、
保守ツールからエレベーターの保守点検の結果データを受信する保守点検結果データ受信手段と、
前記保守点検結果データ受信手段により受信した保守点検結果データを前記保守点検管理テーブルに記憶する保守点検管理手段と、
前記保守点検管理テーブルより前記保守ツールと前記エレベーターの通信接続時の認証に必要なパスワードを生成するパスワード生成手段と、
前記パスワード生成手段により生成したパスワードを前記エレベーターに送信するパスワード送信手段と、
前記エレベーターの特性に合わせた保守点検作業を実施する保守アプリケーションを生成する保守アプリケーション生成手段と、
前記アプリケーション生成手段により生成した保守アプリケーションを前記エレベーターに送信する保守アプリケーション送信手段と、
を有することを特徴とするエレベーター管理センター。
【請求項７】
エレベーターと、前記エレベーターの保守点検を実施し、保守点検結果をエレベーター管理センターに通知する保守ツールと、を有するエレベーター保守ツール安全システムであって、
前記保守ツールからの保守点検結果は、前記エレベーターを介して前記エレベーター管理センターへ通知されることを特徴とするエレベーター保守ツール安全システム。
【請求項８】
保守ツールからの指令により保守点検を行うエレベーターであって、
前記保守点検の結果を、前記保守ツールだけでなくエレベーター管理センターに送信することを特徴とするエレベーター。
【請求項９】
エレベーターの保守点検を行う保守ツールであって、
ｗｅｂページを表示するｗｅｂブラウザ手段と、
前記エレベーターに対して通信接続する際にパスワードを入力することで認証を行うパスワード認証手段と、
前記ｗｅｂブラウザ手段を用いて前記エレベーターに対して保守点検作業を実施する手段と、
を有することを特徴とする保守ツール。
【発明の詳細な説明】
【０００１】
【発明の属する技術分野】
本発明は、エレベーターの保守点検を実施するエレベーター保守ツール安全システムに関する。
【０００２】
【従来の技術】
近年、ビルやマンション等に設置されたエレベーターにおいて、利用者を乗せて各階を移動するかごの制御はマイコン等を用いたデジタル制御になっている。したがって、このようにデジタル制御されたエレベーターが正常に動作することを定期的に点検することは、利用者の安全性を確保する上で非常に大切なことである。
【０００３】
このようなエレベーターの保守点検作業においては、このエレベーターに組み込まれた制御部に対して、種々の試験データを印加し、実際のかごの位置を示すデータを検証したり、この制御部に設定されている各種設定データを更新し、その制御応答や設定データ等の保守点検結果データを収集する。
【０００４】
この保守ツールには、携帯型情報端末に対象エレベーターの保守点検処理を実施する保守アプリケーションがインストールされており、保守員はこの保守ツールを対象エレベーターと有線又は無線で接続し、保守アプリケーションを実行することで、対象エレベーターを制御し、その結果データを収集し保守点検作業を実施する。
【０００５】
この保守ツールが盗難等の何らかの原因で関係者以外に流出した場合、悪意のある第３者が、この保守ツールを用いてエレベーターに組み込まれた制御部の設定変更を行う等、エレベーター利用者が危害を被る恐れがあった。
【０００６】
この解決手段としては、必要な時のみエレベーター管理センターから保守アプリケーションをダウンロードし、例え悪意のある第３者が保守ツールを入手しても、保守ツールを利用してエレベーターに組み込まれた制御部の設定を変更したり、操作等したりすることができずに、保守ツール及びエレベーターの安全性を確保するエレベーター保守ツール安全システムがある（例えば、特許文献１等参照）。
【０００７】
また、エレベーター管理センターからネットワークを介して遠隔で複数の対象エレベーターの保守点検を行うエレベーター遠隔保守制御システムもある（例えば、特許文献２等参照）。
【０００８】
【特許文献１】
特開２００３−９５５５３号公報（第３−５頁、第１図、第２図、第４図）
【特許文献２】
特開２００３−８１５５２号公報（第３頁、第４図）
【０００９】
【発明が解決しようとする課題】
しかしながら、エレベーターがネットワークでエレベーター管理センターと繋がっており遠隔保守点検が行える場合でも、周囲の安全性の確認や目視による確認等、遠隔では確認し難い点検の為に、保守員が直接現場に赴き、保守ツールを用いて保守点検を実施する必要がある。
【００１０】
この場合、保守ツール及びエレベーターの安全性を確保する為に、上記のエレベーター保守ツール安全システムが有効になるが、保守アプリケーションのダウンロードに公衆回線網を使っているので、通信コストがかかってしまう。特に、今後エレベーターのＩＴ化に伴う保守点検項目の増加によって保守アプリケーションのサイズが大きくなった場合に、より通信コストがかかってしまう。
【００１１】
また、エレベーターの設置数拡大により、対応する保守アプリケーションが増加した場合、そのアプリケーションを格納しておく管理サーバの記憶容量が足らなくなる恐れがある。
【００１２】
そこで、上記課題を解決し、通信コストを抑え、管理サーバの負荷を防ぐエレベーター保守ツール安全システムを提供することが本発明の目的である。
【００１３】
【課題を解決するための手段】
上記の目的は、各保守アプリケーションを各エレベーターに分散させて配信し、各エレベーターから保守ツールへ保守アプリケーションをダウンロードすることによって、達成される。
【００１４】
【発明の実施の形態】
以下、図を用いて本発明の一実施例を説明する。図１は本発明における実施形態の概略構成図である。１００は携帯電話やＰＤＡ等の携帯型情報端末から構成される保守ツール、１１０はエレベーター制御部が組み込まれているエレベーター、１２０はエレベーター管理サーバを有するエレベーター管理センター、１３０は通信キャリアが提供している公衆回線網、１４０は前記エレベーター１１０及び前記公衆回線網１３０と前記エレベーター管理センター１２０を繋ぐネットワーク網１４０である。前記エレベーター管理センター１２０で生成した保守アプリケーションを前記エレベーター１１０に配信し前記エレベーター１１０に記憶する。また、前記エレベーター管理センター１２０の保守点検管理データよりパスワードを生成し、前記エレベーター１１０に送信し前記エレベーター１１０に記憶する。保守員が点検作業を行う場合、保守員は保守点検を行うエレベーター１１０に直接赴き、前記保守ツール１００を用いてまず前記エレベーター１１０より保守アプリケーションを取得する。その取得した保守アプリケーションを前記保守ツール１００で実行し保守点検作業を行う。各種保守点検作業に対する結果データを前記エレベーター１１０より前記保守ツール１００に受信した後、結果データを加工し前記公衆回線網１３０を介して前記エレベーター管理センター１２０に送信する。
【００１５】
なお、図１には、１台の保守ツール１００、１台のエレベーター１１０のみしか記載していないが、実際には複数台の保守ツール１００、複数台のエレベーター１１０が設けられている。
【００１６】
図２は前記保守ツール１００のブロック図である。保守ツール１００は、前記公衆回線１３０に接続し通信する長距離無線通信部２０１と、前記エレベーター１１０と近距離無線を用いて通信する近距離無線通信部２０２、保守アプリケーション２０７を記憶するアプリケーション記憶部２０３、アプリケーションを実行するアプリケーション実行部２０４、アプリケーション実行時に各種データ等を表示する表示部２０５、及び、アプリケーション実行時にアプリケーションに対して入力する入力部２０６が装備されている。なお、アプリケーション記憶部２０３には保守アプリケーション２０７を取得するための保守アプリケーション取得アプリケーション２０８がインストールされている。
【００１７】
図３は前記エレベーター１１０のブロック図である。エレベーター１１０は、利用者を載せて各階間を移動するかご３０１と、このかご３０１を上下に移動させる巻上機を含む駆動機械３０２、この駆動機械３０２等を制御するエレベーター制御部３０３、前記保守ツール１００と近距離無線で通信する近距離無線通信部３０４、エレベーター管理センター１２０とネットワークで通信するネットワーク通信部３０５、前記保守ツール１００と近距離無線で接続する為のパスワードを記憶するパスワード記憶部３０６、及び、このエレベーター１１０の特性に合わせた保守アプリケーションを記憶するアプリケーション記憶部３０７が装備されている。
【００１８】
図４は前記エレベーター管理センター１２０のブロック図である。エレベーター管理センター１２０は、前記ネットワーク網１４０を介して前記保守ツール１００及び前記エレベーター１１０と通信するネットワーク通信部４０１と、新規に保守アプリケーションを生成するアプリケーション生成部４０２、その生成した新規保守アプリケーションを対象のエレベーター１１０に送信するアプリケーション送信部４０３、前記保守ツール１００からの保守点検結果データを受信する保守点検結果データ受信部４０４、その受信した保守点検結果データや保守点検日程等を格納して管理する保守点検管理テーブル４０５、対象エレベーター１１０と保守ツール１００が接続する際に必要なパスワードを前記保守点検管理テーブル４０５から新規生成するパスワード生成部４０６、及び、その生成された新規パスワードを対象エレベーター１１０に送信するパスワード送信部４０７が装備されている。これにより、エレベーター管理サーバには種々の保守アプリケーションを蓄積する必要がなく、処理の分散化が図れる点に特徴がある。
【００１９】
図５は前記エレベーター管理センター１２０における保守点検管理テーブル４０５の一例である。保守点検管理テーブル４０５内には、エレベーターＩＤや建物名、顧客名、点検日付、点検した或いは点検予定の保守員の保守員ＩＤ、保守点検結果等の項目が設定されている。点検日付については、過去に点検された日付だけでなく、保守点検が予定されている日付も記載されており、保守点検結果の項目が未記入の場合は、点検日付や保守員ＩＤ等随時変更することができる。図６は図１に示した一実施形態における保守ツール１００の動作手順を示すフロー図である。
【００２０】
保守点検作業を行う為に、まず図６（ａ）に示す保守アプリケーション取得処理を行う。保守ツール１００は、アプリケーション記憶部２０３に記憶されている保守アプリケーション取得アプリケーションをアプリケーション実行部２０４にて起動する（ステップＳ６０１）。次に、エレベーター接続要求を、近距離無線通信部２０２を介してエレベーター１１０に送信する（ステップＳ６０２）。その後、エレベーター１１０よりパスワード要求が来るので、パスワードを入力しそのパスワードをエレベーター１１０に送信する（ステップＳ６０３）。送信したパスワードにより認証できたか判断し（ステップＳ６０４）、認証できた場合はエレベーター１１０との通信接続を確立する（ステップＳ６０５）。通信接続確立後、エレベーター１１０に対して保守アプリケーション取得要求を送信する（ステップＳ６０６）。その後保守アプリケーションを受信するまで待つ（ステップＳ６０７）。保守アプリケーションを受信すると、アプリケーション記憶部２０３に受信した保守アプリケーションを記憶し（ステップＳ６０８）、保守アプリケーション取得アプリケーションを終了する（ステップＳ６０９）。なお、ステップＳ６０４にて認証ができなかった場合は、その旨のエラーを表示部２０５に表示し（ステップＳ６１０）、保守アプリケーション取得アプリケーションを終了する（ステップＳ６０９）。
【００２１】
保守アプリケーションを取得した後、図６（ｂ）に示す保守点検作業処理を行う。保守ツール１００は、アプリケーション記憶部２０３に記憶された保守アプリケーションをアプリケーション実行部２０４にて起動する（ステップＳ６５１）。起動した保守アプリケーションが保守点検項目を実行できるかどうかを示す点検項目実行可否設定を判断し（ステップＳ６５２）、実行可能である場合は、点検項目に合った保守点検用制御コード等をエレベーター１１０に送信して点検項目を実行する（ステップＳ６５３）。その後、その実行結果データをエレベーター１１０より受信する（ステップＳ６５４）。そして、点検項目が終了かどうか判定し（ステップＳ６５５）、まだ点検項目が残っている場合はステップＳ６５３に戻って次の保守点検項目を実行する。ステップＳ６５５にて点検項目が全て終わった場合、エレベーター１１０との通信を切断し（ステップＳ６５６）、ステップＳ６５４で受信した結果データを、必要であれば加工して、エレベーター管理センター１２０に送信する（ステップＳ６５７）。なお、この結果データにはエレベーターＩＤや保守員ＩＤ、点検日時なども含まれる。ステップＳ６５７の後、点検項目実行可否設定を“否”に設定し、次回に保守アプリケーションを起動しても保守点検作業は行えないように設定する（ステップＳ６５８）。そして、保守アプリケーションを終了する（ステップＳ６５９）。なお、ステップＳ６５２にて点検項目実行可否設定が“否”に設定されている場合は、その旨のエラーを表示部２０５に表示し（ステップＳ６６０）、保守アプリケーションを終了する（ステップＳ６５９）。
【００２２】
図７は図１に示した一実施形態におけるエレベーター１１０の動作手順を示すフロー図である。エレベーター１１０はまず、ネットワーク通信部３０５にエレベーター管理センター１２０からアプリケーション記憶要求を受信したか判断する（ステップＳ７０１）。受信した場合は、許可コードをエレベーター管理センター１２０に返信する（ステップＳ７０２）。その後、エレベーター管理センター１２０から保守アプリケーションを受信し（ステップＳ７０３）、アプリケーション記憶部３０７に受信した保守アプリケーションを記憶する（ステップＳ７０４）。なお、アプリケーション記憶部３０７に既に保守アプリケーションが存在する場合は、受信した保守アプリケーションを上書き保存する。ステップＳ７０４の後、又はステップＳ７０１にてアプリケーション記憶要求を受信しない場合は、ネットワーク通信部３０５にエレベーター管理センター１２０からパスワード記憶要求を受信したか判断する（ステップＳ７０５）。受信した場合は、許可コードをエレベーター管理センター１２０に返信する（ステップＳ７０６）。その後、エレベーター管理センター１２０からパスワードを受信し（ステップＳ７０７）、パスワード記憶部３０６に受信したパスワードを記憶する（ステップＳ７０８）。なお、パスワード記憶部３０６に既にパスワードが存在する場合は、受信したパスワードを上書き保存する。ステップＳ７０８の後、又はステップＳ７０５にてパスワード記憶要求を受信しない場合は、近距離無線通信部３０４に保守ツール１００から接続要求を受信したか判断する（ステップＳ７０９）。受信した場合は、図８（ａ）に示す保守ツール１００に対する保守アプリケーション配信処理を行う（ステップＳ７１０）。保守アプリケーション配信処理が成功したか判断し（ステップＳ７１１）、成功した場合は図８（ｂ）に示す保守点検処理を行う（ステップＳ７１２）。ステップＳ７０９にて接続要求を受信しない場合、及びステップＳ７１１にて保守アプリケーション配信処理が失敗した場合は、ステップＳ７０１に戻る。
【００２３】
次にステップＳ７１０の保守アプリケーション配信処理を説明する。図８（ａ）はエレベーター１１０から保守ツール１００に対して保守アプリケーションを配信する処理手順を示すフロー図である。エレベーター１１０はまず、保守ツール１００に対して近距離無線通信部３０４を介してパスワードを要求する（ステップＳ８０１）。その後、保守ツール１００からパスワードを受信し（ステップＳ８０２）、パスワード記憶部３０６に記憶されているパスワードと一致するか判定する（ステップＳ８０３）。パスワードが一致した場合、認証できた旨を保守ツール１００に送信し（ステップＳ８０４）、通信接続を確立する（ステップＳ８０５）。その後、保守ツール１００から保守アプリケーション取得要求を受信し（ステップＳ８０６）、保守アプリケーションを保守ツール１００に送信して（ステップＳ８０７）、保守アプリケーション配信処理を終了する（ステップＳ８０８）。なお、ステップＳ８０３にてパスワードが一致しない場合は、認証できなかった旨を保守ツール１００に送信し（ステップＳ８０９）、保守アプリケーション配信処理を終了する（ステップＳ８０８）。
【００２４】
次にステップＳ７１２の保守点検処理を説明する。図８（ｂ）はエレベーター１１０の保守点検処理手順を示すフロー図である。エレベーター１１０はまず、保守ツール１００から近距離無線通信部３０４を介して保守点検用制御コードを受信するまで待つ（ステップＳ８５１）。保守点検用制御コードを受信すると、その受信した制御コードに従ったエレベーターの制御を行う（Ｓ８５２）。そして、その結果データを保守ツールに送信する（ステップＳ８５３）。その後、保守ツールとの近距離無線通信が切断されたか判断し（ステップＳ８５４）、切断されていない場合はまだ保守点検項目が残っているのでステップＳ８５１に戻る。ステップＳ８５４にて切断された場合は、保守点検処理を終了する（ステップＳ８５５）。
【００２５】
図９は図１に示した一実施形態におけるエレベーター管理センター１２０の各処理の動作手順を示すフロー図である。図９（ａ）は、エレベーター管理センター１２０におけるエレベーター１１０への保守アプリケーション配信処理の動作手順を示すフロー図である。エレベーター管理センター１２０はまず、エレベーター１１０の特性に合った保守点検項目を実施する保守アプリケーションをアプリケーション生成部４０２で生成する（ステップＳ９０１）。その後、エレベーター１１０に、ネットワーク網１４０を介してアプリケーション記憶要求を送信する（ステップＳ９０２）。その要求に対して、エレベーター１１０から許可コードを受信するか判断し（ステップＳ９０３）、許可コードを受信した場合、ステップＳ９０１で生成した新規保守アプリケーションをエレベーター１１０にアプリケーション送信部４０３から送信し（ステップＳ９０４）、アプリケーション配信処理を終了する（ステップＳ９０５）。なお、ステップＳ９０３にて、エレベーター１１０から許可コードを受信しない場合も、アプリケーション配信処理を終了する（ステップＳ９０５）。
【００２６】
図９（ｂ）は、エレベーター管理センター１２０におけるエレベーター１１０へのパスワード配信処理の動作手順を示すフロー図である。エレベーター管理センター１２０はまず、保守点検管理テーブル４０５内からエレベーター１１０のエレベーターＩＤを持つ行を抽出し、そこから次回点検日付及び次回点検保守員ＩＤから新規パスワードを生成する（例えば、次回点検日付が２００３年６月１０日で、保守員ＩＤが６１１０の場合、“２００３０６１０６１１０”等）（ステップＳ９３１）。その後、エレベーター１１０に、ネットワーク網１４０を介してパスワード配信要求を送信する（ステップＳ９３２）。その要求に対して、エレベーター１１０から許可コードを受信するか判断し（ステップＳ９３３）、許可コードを受信した場合、ステップＳ９３１で生成した新規パスワードをエレベーター１１０にパスワード送信部４０７から送信し（ステップＳ９３４）、パスワード配信処理を終了する（ステップＳ９３５）。なお、ステップＳ９３３にて、エレベーター１１０から許可コードを受信しない場合も、パスワード配信処理を終了する（ステップＳ９３５）。
【００２７】
なお、初期パスワードは、保守点検日程が決まって保守点検管理テーブル４０５に記述してからパスワード配信処理を行う。
【００２８】
図９（ｃ）は、エレベーター管理センター１２０における保守点検管理処理の動作手順を示すフロー図である。エレベーター管理センター１２０はまず、保守点検結果データ受信部４０４に保守ツール１００から保守点検結果データを受信しないか判断する（ステップＳ９６１）。受信しない場合はステップＳ９６１を繰り返し、受信するまでループする。ステップＳ９６１にて保守点検結果データを受信した場合は、保守点検管理テーブル４０５に結果データを追加登録する（ステップＳ９６２）。その後、図９（ｂ）に示したパスワード配信処理を行い、エレベーター１１０のパスワードを更新する（ステップＳ９６３）。パスワード配信処理が終われば、ステップＳ９６１に戻る。このように、パスワードを保守点検実施毎に変えることにより、より安全性を確保することができる。なお、保守点検管理処理は常時行われており、いつでも保守点検結果データを受信可能な状態にしておく方が良い。
【００２９】
本実施例により、保守点検作業を実施する保守アプリケーションをエレベーターから保守ツールにダウンロードすることで、すなわち、保守アプリケーションをエレベーター管理センターに一極集中して蓄積するのではなく、各エレベーターに分散して蓄積することにより、エレベーター管理センターの負荷を低減できる。また、保守アプリケーションを保守ツールにダウンロードする経路として公衆回線網を使わないことで通信コストを抑えることができる。さらに、各エレベーターにそれぞれ専用の保守アプリケーションを記憶しその保守アプリケーションを保守点検時に使うことにより、保守員は迷うことなくそのエレベーターの特性にあった保守点検作業を実施できる。
【００３０】
本実施例における分散型エレベーター保守ツール安全システムでは、エレベーター管理センターとエレベーターがネットワークで繋がっており、保守アプリケーション及びパスワードをエレベーター管理センターからエレベーターにネットワーク経由で配信しているが、エレベーターにネットワーク機能がなくても良い。その場合、メモリカードなどの携帯型記憶装置に保守アプリケーションを記憶しておき、直接又は保守ツールやその他の携帯型情報端末から間接的にエレベーターに配信することで、本発明を実現できる。また、パスワードの更新については、保守点検作業終了時に、保守ツールに次回点検日付と次回に点検する保守員ＩＤを入力し、その次回点検日付と保守員ＩＤから新規パスワードを生成して、エレベーターに送信することで、本発明を実現できる。この場合、さらにセキュリティを向上させることができる。
【００３１】
また、本実施例における分散型エレベーター保守ツール安全システムでは、保守ツールに公衆回線網に接続する長距離無線通信部を設け、保守点検結果データを公衆回線網を介してエレベーター管理センターに送信しているが、保守点検結果データをエレベーターに送信し、エレベーターのネットワーク通信部を経由してエレベーター管理センターに送信しても良い。公衆回線網に接続しないため、通信コストをさらに削減することができる。
【００３２】
また、本実施例における分散型エレベーター保守ツール安全システムでは、エレベーターから保守点検結果データを保守ツールにのみ送信しているが、同時にエレベーター管理センターにも送信しても良い。保守ツールから保守点検結果の送信を指示しなくとも、エレベーター管理センターはその結果を得ることができる。その際、エレベーター管理センターにおいて、保守点検管理処理におけるパスワード配信処理を全ての保守点検項目が終了してから実施する必要がある。
【００３３】
また、本実施例における分散型エレベーター保守ツール安全システムでは、保守アプリケーションをエレベーターから保守ツールにダウンロードして保守ツールにて保守アプリケーションを実行しているが、エレベーターから保守ツールに保守アプリケーションの一部のみダウンロードして、保守ツールからは保守点検作業に必要なパラメーターのみを送信することで保守点検作業を実施しても良い。この場合、保守ツールの負担を軽くすることができる。なお、この場合は、保守アプリケーションを実行する手段をエレベーターに設ける必要がある。
【００３４】
また、本実施例における分散型エレベーター保守ツール安全システムでは、保守ツールに記憶した保守アプリケーションを用いて保守点検作業を実施しているが、保守ツールにブラウザを組み込み、そのブラウザのｗｅｂ画面上で保守点検作業を実施しても良い。なお、この場合は、保守アプリケーションを実行する手段とｗｅｂサーバ機能をエレベーターに設ける必要がある。
【００３５】
また、本実施例における分散型エレベーター保守ツール安全システムにおける保守ツールでは、エレベーターから保守アプリケーションを取得する手段を保守アプリケーションを記憶する保守アプリケーション記憶部に記憶しているが、その他のメモリに記憶していても良い。
【００３６】
また、本実施例における分散型エレベーター保守ツール安全システムでは、保守ツールとエレベーターとの通信に近距離無線を用いているが、その他の無線や有線を用いても良い。
【００３７】
【発明の効果】
本発明によれば、負荷を各エレベーターに分散することで、エレベーター管理センターの負荷を低減できる。また、保守アプリケーションを保守ツールにダウンロードする経路として公衆回線網を使わないことで通信コストを抑えることができる。
【図面の簡単な説明】
【図１】本発明の一実施形態を示す概略構成図。
【図２】同実施形態における保守ツールのブロック図。
【図３】同実施形態におけるエレベーターのブロック図。
【図４】同実施形態におけるエレベーター管理センターのブロック図。
【図５】同エレベーター管理センターにおける保守点検管理テーブルを示す図。
【図６】同保守ツールにおける保守アプリケーション取得処理と保守点検作業処理の動作を示すフロー図。
【図７】同エレベーターにおける動作を示すフロー図。
【図８】同エレベーターにおける動作のうちアプリケーション配信処理と保守点検処理の動作を示すフロー図。
【図９】同エレベーター管理センターにおけるアプリケーション配信処理とパスワード配信処理及び保守点検管理処理の動作を示すフロー図。
【符号の説明】
１００…保守ツール、１１０…エレベーター、１２０…エレベーター管理センター、１３０…公衆回線網、１４０…ネットワーク網
【図１】
2005015176.tif 000003
【図２】
2005015176.tif 000004
【図３】
2005015176.tif 000005
【図４】
2005015176.tif 000006
【図５】
2005015176.tif 000007
【図６】
2005015176.tif 000008
【図７】
2005015176.tif 000009
【図８】
2005015176.tif 000010
【図９】
2005015176.tif 000011